(57)【要約】      （修正有）【課題】復元後の煉瓦壁を支持するために設置される支持構造物の複雑化を招来しない、アーチ部を有する煉瓦壁の分断方法を提供すること。【解決手段】移築対象であるアーチ部１２を有する煉瓦壁１０の分断方法は、煉瓦壁１０を板状の複数のピース１４、１６，１８，２０であってこれらのピースの内の１つのピース１６がアーチ部１２を含む複数のピースに分断することを含む。【選択図】図１
2015158074.tif 000002
【特許請求の範囲】
【請求項１】
移築対象であるアーチ部を備える煉瓦壁を板状の複数のピースであって該複数のピースの内の１つのピースが前記アーチ部を含む複数のピースに分断することを含む、煉瓦壁の分断方法。
【請求項２】
前記複数のピースへの分断は、前記煉瓦壁の壁面で見て、前記複数のピースが複数の段をなし、鉛直方向に隣接する上段の２つのピース及び下段の２つのピーの鉛直な２つの境界面が水平方向に関して異なる位置にあるように行う、請求項１に記載の煉瓦壁の分断方法。
【発明の詳細な説明】
【技術分野】
【０００１】
本発明は、文化遺産のひとつである煉瓦造りの建物の移築のために解体される前記建物の外壁の分断方法に関する。
【背景技術】
【０００２】
従来、煉瓦造りの建物を歴史的遺産として保存するため、これを解体し、移築することが行われている。解体された建物は、移築地において元通りに組み立てられ、復元される（後記非特許文献１参照）。本発明は、このような煉瓦造りの建物のうち、特にアーチ部を有する煉瓦造りの建物、より詳細にはその外壁(煉瓦壁)を対象とする。
【先行技術文献】
【非特許文献】
【０００３】
【非特許文献１】野中、「熊本学園大学産業資料館（旧月星化成(株)熊本工場電気室）の解体移築について」、建材フォーラム、株式会社工文社、２００４年１２月、ｐ．１６−１９）
【発明の概要】
【発明が解決しようとする課題】
【０００４】
煉瓦壁はその解体時に板状の複数のピースに分断される。このとき、前記煉瓦壁が備えるアーチ部が分割されると、前記アーチ部が本来有する重量支持機能が失われる。このため、このときは、復元後の煉瓦壁を直立状態に支持するために設けられる支持構造物が前記重量支持機能をも担うように構成される。しかし、これには前記支持構造物の構成部品の大型化、構成部品数の増大等とこれに伴う前記支持構造物の構成の複雑化とを招く。
【０００５】
したがって、本発明の目的は、アーチ部を有する煉瓦壁の分断方法であって、復元後の煉瓦壁を支持するために設置される支持構造物の複雑化を招来しない、前記煉瓦壁の分断方法を提供することにある。
【課題を解決するための手段】
【０００６】
本発明は、移築対象であるアーチ部を有する煉瓦壁の分断方法に係り、該分断方法は前記煉瓦壁を板状の複数のピースであって該複数のピースの内の１つのピースが前記アーチ部を含む複数のピースに分断することを含む。
【０００７】
移築前の煉瓦壁を切断して得られた複数のピースは、移築地において積み上げられ、これにより前記煉瓦壁が復元される。本発明にあっては、前記煉瓦壁をそのアーチ部が１つのピースに含まれるように切断する。これによれば、前記アーチ部は分割されず、該アーチ部が分割された場合における前記アーチ部の重量支持機能の喪失が回避される。したがって、前記煉瓦壁の復元のために積み上げられた他の複数のピースの重量は前記１つのピースのアーチ部によって支持される。このことから、復元後の煉瓦壁を直立状態に支持するために設置される支持構造物に前記複数のピースの重量を支持する機能を付加する必要がなく、前記支持構造物の複雑化を回避することができる。
【０００８】
好ましくは、前記複数のピースへの分断は、前記煉瓦壁の壁面で見て、前記複数のピースが複数の段をなし、鉛直方向に隣接する上段の２つのピース及び下段の２つのピースの鉛直な２つの境界面が水平方向に関して異なる位置にあるように行う。
【０００９】
これによれば、上段における２つのピースの境界面とその下段における２つのピースの境界面とが水平方向にずれていることから、両境界面が一致する場合と異なり、上段のピースの重量が下段のピースに均等に伝達される。
【図面の簡単な説明】
【００１０】
【図１】複数のピースに分断予定の煉瓦壁の部分立面図である。
【発明を実施するための形態】
【００１１】
図１を参照すると、移築される煉瓦壁１０が部分的に示されている。煉瓦壁１０は複数のアーチ部１２を備える。図１には、２つのアーチ部１２が示されている。但し、本発明は、単一のアーチ部を有する煉瓦壁（図示せず）についても適用可能である。
【００１２】
煉瓦壁１０は、本発明に係る分断方法に従って、移築前に板状の複数のピース１４、１６、１８、２０に分割される。得られた複数のピース１４、１６、１８、２０は、移築地の地盤２２上に元通りに積み上げられ、これにより、煉瓦壁１０が復元される。
【００１３】
複数のピース１４、１６、１８、２０への分断は、煉瓦壁１０の壁面で見て、複数の段をなすように行う。図１に示すところでは、最下段である一段目に３つのピース１４が示され、その上の二段目に２つのピース１６が示され、その上の三段目に３つのピース１８が示され、最上の四段目に２つのピース２０が示されている。
【００１４】
煉瓦壁１０の前記複数のピースへの分断は、通常、糸鋸（図示せず）を用いて煉瓦壁１０を縦横に切断することにより行う。図上、符号Ａが付された小円は、煉瓦壁１０の切断に先立ち、煉瓦壁１０に穿たれる糸鋸刃のための挿通孔を示す。煉瓦壁１０は、挿通孔Ａを起点として切断される。符号Ｂで示す二重線は、前記糸鋸の予定切断線を示す。
【００１５】
前記複数のピースの内の２つのピース１６が２つのアーチ部１２をそれぞれ含む。すなわち、各ピース１６は各アーチ部１２を構成する、半円に沿って並ぶ複数の煉瓦２２の全てを含む。図示の例においては、各アーチ部１２とこれをその下方で支持する部分（例えば柱）との間で切断され、前記支持する各部分が１つのピース１４とされている。
【００１６】
アーチ部１２は、切断前の煉瓦壁１０において、その上方に存する多数の煉瓦２４の重量を支える機能を有するところ、復元後においてはピース１６に含まれるアーチ部１２が、この上に積み上げられる他のピース１８、２０の重量を支える機能を担う。このため、復元された煉瓦壁１０を鉛直状態に支持するために設置される支持構造物（図示せず）による重量支持を必要としない。
【００１７】
また、煉瓦壁１０の前記複数のピースへの分断は、煉瓦壁１０の壁面で見て、鉛直方向（図１において上下方向）に隣接する上段の２つのピース及び下段の２つのピースの鉛直な２つの境界面、例えば上段の２つのピース１８及び下段の２つのピース１６の２つの境界面２６、２８が水平方向（図１において左右方向）に関して異なる位置にあるように行う。これにより、両境界面２６、２８が一致せず、上段のピース１８の重量が下段のピース１６に均等に伝達される。
【００１８】
前記複数のピースがなす前記段相互の仕切り面は水平面とし（図示せず）、あるいは、図示されているように、凹凸面３０，３２とすることができる。図示の例によれば、復元後の煉瓦壁１０において、凹凸面３０，３２を規定する二段目、三段目及び四段目の複数のピース１６，１８，２０が上下方向に関して互いに他の一方を受け入れる状態で係合することから、復元後の煉瓦壁１０が水平方向への地震力を受けた時の二段目、三段目及び四段目の複数のピース１６，１８，２０の水平方向移動が制限される。
【符号の説明】
【００１９】
１０  煉瓦壁
１２  アーチ部
１４，１６，１８，２０  ピース
２２  アーチ部を構成する煉瓦
２６，２８  各段における２つの煉瓦の境界
【図１】
2015158074.tif 000003